(57)【要約】【課題】  床板を介して室内を暖める床暖房構造において蓄熱性を確保することができると共に暖房の立ち上がり時間が短くして満足した速暖性を得ることができる床暖房構造を提供する。【解決手段】  建物における床14の上面と基礎12との間に温水が流通する温水管26が設けられ室内を暖房する床暖房構造10において、温水管26は床14の上部に設けられ蓄熱部材20であるモルタル又はコンクリートと比較して熱伝導率が高い温水管保持部材24に保持され、温水管保持部材24と基礎12との間に蓄熱部材20であるモルタル又はコンクリートが打設されてなる。【選択図】図１
2005300014.tif 000002
【特許請求の範囲】
【請求項１】
建物における床の上面と基礎との間に温水が流通する温水管が設けられ室内を暖房する床暖房構造において、
前記温水管は前記床の上部に設けられモルタル又はコンクリートと比較して熱伝導率が高い温水管保持部材に保持され、該温水管保持部材と前記基礎との間にモルタル又はコンクリートが打設されていることを特徴とする床暖房構造。
【請求項２】
前記温水管保持部材には、前記温水管を保持するための温水管保持溝が形成されていることを特徴とする請求項１記載の床暖房構造。
【請求項３】
前記温水管保持溝は、前記温水管を上方から保持可能に形成されていることを特徴とする請求項２記載の床暖房構造。
【発明の詳細な説明】
【技術分野】
【０００１】
本発明は、建物における床の上面と基礎との間に温水が流通する温水管が設けられ室内を暖房する床暖房構造に関する。
【背景技術】
【０００２】
従来、建物における床の上面と基礎との間に温水が流通する温水管が設けられ室内を暖房する床暖房構造としては、コンクリート基礎上に断熱材と、金網と、同金網に固定した温水管と、モルタルとを順に敷設した床暖房構造が知られている（特許文献１参照）。当該床暖房構造によれば、断熱材の上に敷設する金網に温水管が固定された状態では、温水管から金網に熱がムラなく伝達され、また、家屋のねじれ、ずれ、または地震等の災害に対して、金網が温水管を保護することになるため、温水管の割れやヒビ等が防止され、また、温水管を金網に固定しているため、モルタル充填時に温水管がずれることがなく、施工は簡単に短時間で行うことが可能である。従って、モルタル充填を一度で済ませることが可能となるため、モルタル厚みを従来と比較して薄くして、暖房の立ち上がり時間を短縮することが可能となる。
【特許文献１】特開２００１−５５８２８号公報
【発明の開示】
【発明が解決しようとする課題】
【０００３】
しかしながら、上述の従来技術では、コンクリート基礎上に断熱材と、金網と、同金網に固定した温水管と、モルタルとを順に敷設されているため、温水管の熱がモルタルを介して床の上面部である床板に伝熱されモルタルが温水管の熱を蓄熱して床暖房構造における蓄熱性を確保することができるが、未だ床板を介して室内を暖める暖房の立ち上がり時間が長く床暖房構造における満足した速暖性を得ることができていないという問題点がある。
【０００４】
本発明は、上記した問題点を鑑みてなされたもので、床板を介して室内を暖める床暖房構造において蓄熱性を確保することができると共に暖房の立ち上がり時間が短くして満足した速暖性を得ることができる床暖房構造を提供することを目的とする。
【課題を解決するための手段】
【０００５】
前述の課題を解決するため、本発明に係る床暖房構造は、次のような手段を採用する。
【０００６】
即ち、請求項１記載の発明の床暖房構造は、建物における床の上面と基礎との間に温水が流通する温水管が設けられ室内を暖房する床暖房構造において、前記温水管は前記床の上部に設けられモルタル又はコンクリートと比較して熱伝導率が高い温水管保持部材に保持され、該温水管保持部材と前記基礎との間にモルタル又はコンクリートが打設されていることを特徴とする。
【０００７】
また、請求項２記載の発明の床暖房構造は、請求項１記載の発明において、前記温水管保持部材には、前記温水管を保持するための温水管保持溝が形成されていることを特徴とする。
【０００８】
また、請求項３記載の発明の床暖房構造は、請求項２記載の発明において、前記温水管保持溝は、前記温水管を上方から保持可能に形成されていることを特徴とする。
【発明の効果】
【０００９】
本発明の請求項１記載の床暖房構造によれば、温水管は床の上部に設けられモルタル又はコンクリートと比較して熱伝導率が高い温水管保持部材に保持され、温水管保持部材と基礎との間にモルタル又はコンクリートが打設されているため、床板を介して室内を暖める床暖房構造において蓄熱性を確保することができると共に暖房の立ち上がり時間を短くして満足した速暖性を得ることができる。
【００１０】
また、請求項２記載の床暖房構造によれば、温水管保持部材には、温水管を保持するための温水管保持溝が形成されているため、温水管を温水管保持部材に保持させるための施工を容易にすることができる。
【００１１】
また、請求項３記載の床暖房構造によれば、温水管保持溝は、温水管を上方から保持可能に形成されているため、温水管を温水管保持部材に保持させるための施工を更に容易にすることができる。
【発明を実施するための最良の形態】
【００１２】
以下、本発明に係る床暖房構造の実施形態を図面に基づいて説明する。図１及び図２は、本発明に係る床暖房構造の第１の実施形態を説明する図である。
【００１３】
図１は、本実施形態の床暖房構造10を示す縦断面図である。床暖房構造10は、基礎12を備えている。基礎12は、建物に作用する荷重及び建物の自重等を支持する地盤等に所定の安全性を確保して建物を支持させるためのものである。基礎12の材料としては、例えば、コンクリートが挙げられる。
【００１４】
基礎12の上方には、床14が設けられている。床14は、根太16、断熱部材18、蓄熱部材20、温水管保持体22、伝熱部材28、及び床板30から概略構成されている。
【００１５】
基礎12の上方には、根太16が設けられている。根太16は、床板30を支持するためのものである。根太16は、水平方向に所定間隔で設けられている。根太16の材料としては、例えば、木材が挙げられる。
【００１６】
複数の根太14間には、上部を開口するように断熱部材18が設けられている。断熱部材18は、温水が流通している温水管26の熱が基礎12及び根太16等に伝わることを防止するためのものである。断熱部材18の材料としては、例えば、スタイロフォームが挙げられる。
【００１７】
スタイロフォームは、同様に断熱部材として用いられる発泡スチロールと同じポリスチレン発泡体である。スタイロフォームは、発泡スチロールと製造方法において相違する。発泡スチロールは、ビース法ポリスチレンフォームと言われている。スタイロフォームは、押し出し法ポリスチレンフォームと言われている。スタイロフォームは、発泡スチロールと比較して熱伝導率が低く断熱部材18として用いるのに好適である。
【００１８】
断熱部材18の上方には、蓄熱部材20が設けられている。蓄熱部材20は、モルタル又はコンクリートを打設したものである。モルタルは、セメント、細骨材及び水等を練り混ぜたものである。コンクリートは、セメント、細骨材、粗骨材及び水等を練り混ぜたものである。また、モルタル及びコンクリートの製造に際しては、モルタル及びコンクリートが所要の性質を有するように混和剤又は混和材を加えることができる。
【００１９】
蓄熱部材20の上方には、温水管保持体22が設けられている。温水管保持体22は、温水管26及び温水管26を保持する温水管保持部材24から概略構成されている。
【００２０】
温水管保持部材24は、蓄熱部材20であるモルタル又はコンクリートと比較して熱伝導率が高い材料から形成されている。温水管保持部材24の具体的材料としては、アルミニウム等の金属材料等が挙げられる。
【００２１】
温水管26は、内部に温水が流通するように長尺円筒状に形成されている。尚、温水管26は、長尺円筒状に限定されることなく長尺中空状に形成することができる。温水管26の材料としては、例えば、高分子樹脂が挙げられる。高分子樹脂製の温水管26は、柔軟性を有しているため床14に温水管26を設置する施工を容易にすることができると共に耐酸性及び耐アルカリ性を有するため温水管26が腐食されることを防止することができる。また、高分子樹脂製の温水管26は、金属管のように錆の発生及び有害物質の溶出等による温水管26を流通する温水の水質が汚濁されることを防止することができ温水管26を流通する温水を衛生的に保つことができる。また、高分子樹脂製の温水管26は、温水管26を流通する温水の流体抵抗が低いと共にボイラで加熱された温水中に含有される不純物であるスケール等が付着し難いため金属管と比較して温水管26の経年変化によって温水管26を流通する温水の流量が低下することを低減することができる。従って、温水管26の材料として高分子樹脂を選択する場合には、床暖房構造10を長寿命化することができると共に床暖房構造10を定期的にメンテナンスすることを防止又は定期的にメンテナンスする周期の長期間化することができる。
【００２２】
温水管保持部材24の下面には、温水管26を保持するための温水管保持溝24aが形成されている。温水管保持溝24aは、温水管26と嵌合するように下部を開口するＵ字状に形成されている。尚、温水管保持溝24aは、温水管26が長尺円筒状とは異なる縦断面を有する長尺中空状に形成されている場合には、温水管26と嵌合する他の形状に形成することができる。
【００２３】
温水管保持体22は、温水管保持溝24aに温水管26を嵌合させることによって形成されている。尚、温水管保持体22は、温水管26と温水管保持部材24とが一体となるように嵌合以外の方法で形成することができる。
【００２４】
温水管保持部材24、断熱部材18及び根太16の上方には、板状に形成されている伝熱部材28が設けられている。伝熱部材28は、温水管26から温水管保持部材24に伝熱された熱を床板30全体に伝熱するためのものである。伝熱部材28の材料としては、アルミニウム等の金属材料等が挙げられる。伝熱部材28の材料がアルミニウムである場合には、温水管保持部材24は、アルミ箔が好適である。
【００２５】
伝熱部材28の上方には、板状に形成されている床板30が設けられている。床板30としては、例えば、フローリングが挙げられる。
【００２６】
次に、以上のように構成されている床暖房構造10の施工方法について説明する。図２は、床暖房構造10の施工方法を説明するための図である。
【００２７】
最初に、建物における基礎12の上方に設けられている複数の根太16間に断熱部材18であるスタイロフォーム等を設ける。次いで、スタイロフォーム等の上方に蓄熱部材20であるモルタル又はコンクリートを打設する。次いで、蓄熱部材20の上方に温水管26が温水管保持部材24の温水管保持溝24aに嵌合されている温水管保持体22を設ける。次いで、温水管保持部材24、断熱部材18及び根太16の上方に伝熱部材28であるアルミ箔等を設ける。次いで、アルミ箔等の上方に床板30であるフローリング等を敷設する。
【００２８】
以上、本実施形態によれば、温水管26は床14の上部に設けられ蓄熱部材20であるモルタル又はコンクリートと比較して熱伝導率が高い温水管保持部材24に保持され、温水管保持部材24と基礎12との間に蓄熱部材20であるモルタル又はコンクリートが打設されているため、床板30を介して室内を暖める床暖房構造10において蓄熱性を確保することができると共に暖房の立ち上がり時間を短くして満足した速暖性を得ることができる。
【００２９】
また、本実施形態によれば、温水管保持部材24には、温水管26を保持するための温水管保持溝24aが形成されているため、温水管26を温水管保持部材24に保持させるための施工を容易にすることができる。
【００３０】
次に、本発明に係る床暖房構造の第２の実施形態について説明する。図３及び図４は、本発明に係る床暖房構造の第２の実施形態を説明する図である。尚、本実施形態において、第１の実施形態に示す構成と同一の構成については、同一符号を付すことでその説明を省略する。
【００３１】
図３は、本発明の第２の実施形態である床暖房構造50を示す図である。第２の実施形態の床暖房構造50は、第１の実施形態における床暖房構造10の温水管保持体22を温水管保持体52としたものである。
【００３２】
温水管保持体52は、温水管26及び温水管26を保持する温水管保持部材54から概略構成されている。
【００３３】
温水管保持部材54は、第１の実施形態における温水管保持部材24と同様に、蓄熱部材20であるモルタル又はコンクリートと比較して熱伝導率が高い材料から形成されている。温水管保持部材54の具体的材料としては、アルミニウム等の金属材料等が挙げられる。
【００３４】
温水管保持部材54の上面には、温水管26を保持するための温水管保持溝54aが形成されている。温水管保持溝54aは、温水管26と嵌合するように上部を開口するＵ字状に形成されている。尚、温水管保持溝54aは、温水管26が長尺円筒状とは異なる縦断面を有する長尺中空状に形成されている場合には、温水管26と嵌合する他の形状に形成することができる。
【００３５】
温水管保持体52は、温水管保持溝54aに温水管26を嵌合させることによって形成されている。尚、温水管保持体52は、温水管26と温水管保持部材54とが一体となるように嵌合以外の方法で形成することができる。
【００３６】
次に、以上のように構成されている床暖房構造50の施工方法について説明する。図４は、床暖房構造50の施工方法を説明するための図である。
【００３７】
第２の実施形態である床暖房構造50の施工方法は、第１の実施形態である床暖房構造10の温水管保持体22を温水管保持体52としたものであるため、第１の実施形態である床暖房構造10の施工方法において、第１の実施形態である床暖房構造10の温水管保持体22を温水管保持体52とした施工方法である。
【００３８】
以上、本実施形態によれば、第１の実施形態における効果に加え、温水管保持溝54aは、温水管26を上方から保持可能に形成されているため、温水管26を温水管保持部材54に保持させるための施工を更に容易にすることができる。
【００３９】
本発明は、上記実施形態に限定されるものではなく、本発明の要旨の範囲内で種々の変形実施が可能である。
【図面の簡単な説明】
【００４０】
【図１】本発明に係る床暖房構造の第１の実施形態を示す図である。
【図２】図１の床暖房構造の施工方法を説明するための図である。
【図３】本発明に係る床暖房構造の第２の実施形態を示す図である。
【図４】図３の床暖房構造の施工方法を説明するための図である。
【符号の説明】
【００４１】
10，50  床暖房構造
12  基礎
14  床
16  根太
18  断熱部材
20  蓄熱部材
22  温水管保持体
24，54  温水管保持部材
24a，54a  温水管保持溝
26  温水管
28  伝熱部材
30  床板
【図１】
2005300014.tif 000003
【図２】
2005300014.tif 000004
【図３】
2005300014.tif 000005
【図４】
2005300014.tif 000006